(57)【要約】      （修正有）【課題】いびきや無呼吸症候群の症状が軽減され、首周辺及び肩周辺の障害が軽減される枕、マットレス及び寝具を提供する。【解決手段】寝具は、枕１０と、マットレスと、を備え、枕１０は、後頭部に対応する中央部に配置された第１の窪み１４ａと、寝返りを打った際の左右の頬に対応する両側部にそれぞれ配置された第２及び第３の窪み１４ｂ、１４ｃと、が形成され、マットレスは、両肩に対応する位置にそれぞれ切り欠きが形成されている。【選択図】図１
0003222923.tif 000002
【実用新案登録請求の範囲】
【請求項１】
後頭部に対応する中央部に配置された第１の窪みと、
寝返りを打った際の左右の頬及び側頭部に対応する両側部にそれぞれ配置された第２及び第３の窪みと、が形成された枕。
【請求項２】
請求項１記載の枕において、
前記第１の窪みの高さ位置が、仰臥位で寝ている人が楽に呼吸できるように設定され、
前記第２及び第３の窪みの高さ位置が、それぞれ、側臥位で寝ている人の頚椎及び胸椎が側面から見て実質的に一直線になるように設定されている枕。
【請求項３】
後頭部に対応する中央部に配置された第１の窪み及び寝返りを打った際の左右の頬及び側頭部に対応する両側部にそれぞれ配置された第２及び第３の窪みが形成された枕と、
両肩に対応する位置にそれぞれ切り欠きが形成された、平面視して矩形状のマットレスと、を備えた寝具。
【請求項４】
請求項３記載の寝具において、
踵に対応する位置に窪みが形成された寝具。
【請求項５】
請求項４記載の寝具において、
膝窩に対応する位置に凸部が形成された寝具。
【請求項６】
平面視して矩形状のマットレスであって、
両肩に対応する位置にそれぞれ切り欠きが形成されたマットレス。
【考案の詳細な説明】
【技術分野】
【０００１】
本考案は、枕、マットレス及び寝具に関する。
【背景技術】
【０００２】
特許文献１には、使用感に優れた枕が記載されている。
この枕は、枕の奥部側から手前部側に向かって枕上面が下方に傾斜する枕であって、その枕上面の中央部において身体の後頭部が当接する位置に後頭部載置用窪み部を形成してなり、枕上面部の後頭部載置用窪み部の両側において、後頭部載置用窪み部に身体の後頭部を載置して身体の頭部を左右に傾けた場合に、身体の顔の側面、身体の頭部側面、及び、身体の首部側面の凹凸形状に沿って傾斜し安定する位置に耳部載置用窪み部を形成したことを特徴としている。
【先行技術文献】
【特許文献】
【０００３】
【特許文献１】特開２００５−１１８３９７号公報
【考案の概要】
【考案が解決しようとする課題】
【０００４】
本考案は、いびきや無呼吸症候群の症状が軽減され、首周辺及び肩周辺の障害が軽減される枕、マットレス及び寝具を提供することを目的とする。
【課題を解決するための手段】
【０００５】
請求項１に記載の考案は、後頭部に対応する中央部に配置された第１の窪みと、寝返りを打った際の左右の頬及び側頭部に対応する両側部にそれぞれ配置された第２及び第３の窪みと、が形成された枕である。
【０００６】
請求項２に記載の考案は、請求項１記載の枕において、前記第１の窪みの高さ位置が、仰臥位で寝ている人が楽に呼吸できるように設定され、前記第２及び第３の窪みの高さ位置が、それぞれ、側臥位で寝ている人の頚椎及び胸椎が側面から見て実質的に一直線になるように設定されている。
【０００７】
請求項３に記載の考案は、後頭部に対応する中央部に配置された第１の窪み及び寝返りを打った際の左右の頬及び側頭部に対応する両側部にそれぞれ配置された第２及び第３の窪みが形成された枕と、両肩に対応する位置にそれぞれ切り欠きが形成された、平面視して矩形状のマットレスと、を備えた寝具である。
【０００８】
請求項４に記載の考案は、請求項３記載の寝具において、踵に対応する位置に窪みが形成されている。
【０００９】
請求項５に記載の考案は、請求項４記載の寝具において、膝窩に対応する位置に凸部が形成されている。
【００１０】
請求項６に記載の考案は、平面視して矩形状のマットレスであって、両肩に対応する位置にそれぞれ切り欠きが形成されている。
【考案の効果】
【００１１】
本考案によれば、いびきや無呼吸症候群の症状が軽減され、首周辺及び肩周辺の障害が軽減される枕、マットレス及び寝具を提供できる。
【図面の簡単な説明】
【００１２】
【図１】本考案の一実施の形態に係る枕の平面図である。
【図２】本考案の一実施の形態に係るマットレスの平面図である。
【考案を実施するための形態】
【００１３】
続いて、添付した図面を参照しつつ、本考案を具体化した実施の形態につき説明し、本考案の理解に供する。なお、図において、説明に関連しない部分は図示を省略する場合がある。
【００１４】
本考案の一実施の形態に係る寝具は、図１及び図２にそれぞれ示す枕１０及びマットレス２０を備えている。
【００１５】
枕１０は、図１に示すように、第１のクッション材１２ａ及び第２のクッション材１２ｂを有している。
第１のクッション材１２ａは、高反発性の素材により形成されており、使用者の頭が動く広い範囲に亘って窪み１３が形成されている。
【００１６】
また、窪み１３の中に更に第１の窪み１４ａ、第２の窪み１４ｂ及び第３の窪み１４ｃが形成されている。
第１の窪み１４ａは、後頭部に対応する中央部に配置されており、その高さ位置は、頭を載せて仰臥位で寝ている人が楽に呼吸できるように設定される。
その結果、いびきや無呼吸症候群の症状が軽減される。
【００１７】
第２の窪み１４ｂ及び第３の窪み１４ｃは、寝返りを打った際の左右の頬及び側頭部に対応する両側部にそれぞれ配置されており、その高さ位置は、それぞれ、側臥位で寝ている人の頚椎及び胸椎が、側面から見て実質的に一直線になるように設定される。
その結果、首周り及び肩周りの負担が低減され、障害が低減される。
【００１８】
第２のクッション材１２ｂは、低反発性の素材により形成されており、図１の二点鎖線で示すように、第１のクッション材１２ａに形成された窪み１３及び第１〜第３の窪み１４ａ〜１４ｃの上に重ねて配置される。
第２のクッション材１２ｂの厚みは、例えば５〜１５ｍｍであり、第１〜第３の窪み１４ａ〜１４ｃの形状に倣うことができる。
第２のクッション材１２ｂにより、高反発性の素材である第１のクッション材１２ａによる当たりを和らげることができる。
【００１９】
このように、第１のクッション材１２ａに第１〜第３の窪み１４ａ〜１４ｃが形成されているため、第１〜第３の窪み１４ａ〜１４ｃが形成されていない場合と比較して、頭部に加わる面圧が分散される。また、仰臥位では呼吸が楽になり、側臥位では側頭部に加わる面圧が分散され、首周り及び肩周りの負担が低減されるので、よりよい寝心地が提供される。
【００２０】
マットレス２０は、平面視して矩形状のマットレスであり、高反発性のクッション材により形成されている。
マットレス２０は、図２に示すように、仰向けに寝た人の両肩に対応する位置にそれぞれ第１の切り欠き２２ａ及び第２の切り欠き２２ｂが形成されている。
従って、両肩が、それぞれ第１の切り欠き２２ａ及び第２の切り欠き２２ｂに落ち込むことができるので、第１の切り欠き２２ａ及び第２の切り欠き２２ｂがない場合と比較して、寝返りを打ち易くなる。また、側臥位にある場合に肩に加わる圧力が低減され、肩の挫滅が抑制される。
【００２１】
また、マットレス２０には、仰向けに寝た人の膝窩に対応する位置に凸部２４が形成されている。
なお、仰向けに寝た人の背骨に対応する位置、尾骨に対応する位置、及び踵に対応するマットレス２０の位置に、それぞれ窪み（不図示）が形成されていることが好ましい。
このように、マットレス２０に人体の各部に対応する凸部２４や窪み（不図示）が形成されることにより、人体に加わる面圧が分散され、よりよい寝心地が提供される。
【００２２】
以上、本考案の実施の形態を説明したが、本考案は、上記した形態に限定されるものでなく、要旨を逸脱しない条件の変更等は全て本考案の適用範囲である。
【符号の説明】
【００２３】
１０  枕
１２ａ  第１のクッション材
１２ｂ  第２のクッション材
１３  窪み
１４ａ  第１の窪み
１４ｂ  第２の窪み
１４ｃ  第３の窪み
２０  マットレス
２２ａ  第１の切り欠き
２２ｂ  第２の切り欠き
２４  凸部
【図１】
0003222923.tif 000003
【図２】
0003222923.tif 000004